(57)【特許請求の範囲】
【請求項１】
コネクタの嵌合口に保持されるキャップであって、
本体と、該本体の幅方向両側から一方方向に突出するとともに自由端側の先端に一方側に突出する係合部を有する突出片とを備えるキャップにおいて、
前記突出片には、前記係合部が所定の間隔になるような少なくとも１個以上のスリットを設け、
スリットにより分割された少なくとも２以上の前記突出片の係合部が位置をずらすように配置されることを特徴とするキャップ。
【請求項２】
前記突出片の係合部を外側方向に突出するようにし、
前記突出片には、前記係合部が所定の間隔になるような少なくとも１個以上のスリットを設け、
スリットにより分割された少なくとも２以上の前記突出片の係合部が位置をずらすように配置されることを特徴とする請求項１記載のキャップ。
【請求項３】
リフロー後に、ハウジングの側壁が熱により変形しても、対向する少なくとも１対の係合部が前記ハウジングの側壁と係合することを特徴とする請求項１または２記載のキャップ。
【請求項４】
前記係合部を、０．５〜１．５ｍｍずらすことを特徴とする請求項１または２、３記載のキャップ。
【請求項５】
前記係合部としては、凸部とすることを特徴とする請求項１、２または３、４記載のキャップ。
【請求項６】
複数のコンタクトと、該コンタクトが保持・配列されるとともに少なくとも２つの側壁を有し、前記側壁によって相手コネクタが挿抜される嵌合口を形成するハウジングとを備えるコネクタであって、
前記嵌合口に、本体と、該本体の幅方向両側から一方方向に突出するとともに自由端側の先端に一方側に突出する係合部を有する突出片とを備えるキャップを装着した状態でリフローするコネクタ装置において、
前記突出片には、前記係合部が所定の間隔になるような少なくとも１個以上のスリットを設け、
スリットにより分割された少なくとも２以上の前記突出片の係合部が位置をずらすように配置され、
前記係合部が前記ハウジングの側壁に係合した状態でリフローすることを特徴とするコネクタ装置。
【請求項７】
前記突出片の係合部を外側方向に突出するようにし、
前記突出片には、前記係合部が所定の間隔になるような少なくとも１個以上のスリットを設け、
スリットにより分割された少なくとも２以上の前記突出片の係合部が位置をずらすように配置されることを特徴とする請求項６記載のコネクタ装置。
【請求項８】
リフロー後に、ハウジングの側壁が熱により変形しても、対向する少なくとも１対の係合部が前記ハウジングの側壁と係合することを特徴とする請求項６または７記載のコネクタ装置。
【請求項９】
前記係合部を、０．５〜１．５ｍｍずらすことを特徴とする請求項６または７、８記載のコネクタ装置。
【請求項１０】
前記係合部としては、凸部とすることを特徴とする請求項６、７または８、９記載のコネクタ装置。
【発明の詳細な説明】
【技術分野】
【０００１】
本発明は、シーケンサやインバータやカーナビゲーション等の電気機器や電子機器に使用されるコネクタに用いられるキャップに関するもので、特に、リフロー後に絶縁体やキャップに反りが発生してもキャップが脱落・落下することのない構造に関するものである。
【背景技術】
【０００２】
コネクタは、少なくとも複数のコンタクトと該コンタクトが保持・配列されるハウジングを有している。前記コネクタには、一般的に接続対象物（基板に実装された相手コネクタやケーブルが付いた相手コネクタやフレキシブルプリント基板（以下では「ＦＰＣ」という）やカードや基板等）が入る嵌合口が設けられている。前記コネクタの嵌合口には、リフロー時の吸着や防塵性を高めることのために、キャップを装着する場合が多々ある。
特許文献として、本出願人が既に提案したダストカバーである特許文献１（実開平０３−４０７７４号）や特許文献２（特開平１１−２７３７７９号）と、基板実装型コネクタの成形時の歪み又はそりを補償し、コネクタにがたを生じることなく係合しつつコンタクトの基板実装部に十分な共面性を提供できる電気コネクタ用キャップである特許文献３（特開平１１−２６０４６４号）を示す。
【先行技術文献】
【特許文献】
【０００３】
【特許文献１】特許文献１の実開平０３−４０７７４号の実用新案登録請求の範囲によると、ｘ方向に細長い嵌合面１６を有する角形コネクタ１０のダストカバー３０であつて；その本体３２の両側に突起４０を有する引留め片３６が設けてあつて、前記角形コネクタ１０の両側に設けられた脱落防止用のロツク片１８に前記引留め片３６の突起４０がひつかかるようになつているものにおいて、前記引留め片３６の突起４０は、ｙ方向に突出しかつ先端の峰４２がｘ方向に沿つて延びる突条状態のものである、コネクタのダストカバーが開示されている。
【特許文献２】特許文献２の特開平１１−２７３７７９号の要約によると、本発明は、どんなタイプの電気コネクタ１０にも対応することができ、電気コネクタ１０の搬送時や回路基板実装後の基板６２が電気コネクタ１０に挿入されるまでの間に外れることのなく、電気コネクタ１０の突起部２８が変形することがなく、挿入し易いダストカバーの提供を目的とし、複数のコンタクト１４とこのコンタクト１４が保持・固定される本体部２２と基板６２を保持する突起部２８と基板６２が挿入される嵌入孔３０を有するガイド部２４とから構成される絶縁体１２とからなる電気コネクタ１０の嵌合部を保護するダストカバー２０であって、電気コネクタ１０の嵌合部を覆う防塵部５４とその両端側にある係合部５６とからなると共に前記係合部５６には基板６２の係止部５６と同一位置に切欠部５２が配置されるダストカバー２０において、ダストカバー２０の両側の前記係合部５６に前記絶縁体１２の突起部２８が引っかかる位置に凸部５０を設けることにより達成できるダストカバーが開示されている。  ちなみに、特開平１１−２７３７７９号の特許請求の範囲の請求項１には、複数のコンタクトと、このコンタクトが保持・固定される本体部と基板を保持する突起部と基板が挿入される嵌入孔を有するガイド部とから構成される絶縁体とからなる電気コネクタの嵌合部を保護するダストカバーであって、電気コネクタの嵌合部を覆う防塵部とその両端側にある係合部とからなると共に前記係合部には基板の係止部と同一位置に切欠部が配置される電気コネクタ用ダストカバーにおいて、ダストカバーの両側の前記係合部に前記絶縁体の突起部が引っかかる位置に凸部を設けたことを特徴とする電気コネクタ用ダストカバー、請求項２には、複数のコンタクトと、このコンタクトが保持・固定される本体部と基板を保持する突起部と基板が挿入される嵌入孔を有するガイド部とから構成される絶縁体とからなる電気コネクタの嵌合部を保護するダストカバーであって、電気コネクタの嵌合部を覆う防塵部とその両端側にある係合部とからなると共に前記係合部には基板の係止部と同一位置に切欠部が配置される電気コネクタ用ダストカバーにおいて、ダストカバーの両側の前記係合部に前記絶縁体の突起部が引っかかる位置に前記切欠部と同様の溝を設けたことを特徴とする電気コネクタ用ダストカバー、請求項３には、前記ダストカバーの係合部の厚さを基板の厚さより薄くした請求項１、２記載の電気コネクタ用ダストカバーが開示されている。
【特許文献３】特許文献３の特開平１１−２６０４６４号の要約によると、キャップ、及び基板実装型コネクタの成形時の歪み又はそりを補償し、コネクタにがたを生じることなく係合しつつコンタクトの基板実装部に十分な共面性を提供できる電気コネクタ用キャップを提供することを目的とし、キャップ１０は一対の細長い基板実装型コネクタを受容できる凹部２３を含むカバー部２０を有し、凹部２３の長さ方向に沿って２箇所に対をなす係合爪２５が設けられ、係合爪２５に対応する凹部２３の底面２７から突出する突部８０が設けられ、コネクタは突部８０に制止されつつ、係止爪２５によって抜け方向と逆方向に付勢されて係合保持されるキャップが開示されている。  ちなみに、特開平１１−２６０４６４号の特許請求の範囲の請求項１には、細長のハウジングを有する基板実装型のコネクタの頂側に装着され、該コネクタに対して長さ方向の少なくとも２箇所で保持手段によって遊動的に係合保持される電気コネクタ用キャップにおいて、前記コネクタに係合されるときに前記ハウジングの長さ方向の２箇所に当接するよう前記コネクタに向けて突出する１対の突部を有し、前記保持手段は前記コネクタを係合保持するときに抜け方向と逆方向に付勢することを特徴とする電気コネクタ用キャップが開示されている。
【発明の概要】
【発明が解決しようとする課題】
【０００４】
一般的に、キャップは、本体と、該本体の幅方向両側から一方方向に突出するとともに自由端側の先端に外側方向に突出する係合部を有する突出片とを備えている。
また、キャップが装着されるコネクタは、複数のコンタクトと、該コンタクトが保持・配列されるとともに少なくとも２つの側壁を有し、前記側壁によって相手コネクタが挿抜される嵌合口を形成するハウジングとを備えている。前記キャップは、前記ハウジングの側壁を、対向する係合部によって、挟み込むか、若しくは突っ張ることによって前記コネクタに係合させている。
さらに、前記キャップを前記コネクタに装着した状態で、前記コネクタを基板の実装するためのリフローが行われている。
一般的に、前記キャップは接続対象物と接続する際には不要であるため、前記コネクタを基板にリフロー実装した後は取り外すことになる。しかしながら、リフロー実装後に前記ハウジング等の絶縁体に熱による反りが発生した際に、前記キャップも同様に変形してしまい脱落や落下する恐れがあった。
特許文献１の構造では、幅方向全体の突起２２でダストカバーの突起４０と係合させているので、熱による反り等の影響は受け難いが、係合し難いし、挿抜力が高くなってしまうし、芯数によってダストカバーを別々に作成しなくてはならない。
特許文献２の構造では、長手方向両側にガイド部が存在するコネクタであり、ガイド部が存在すれば熱による反り等の影響は受け難いが、ガイド部がない場合には上記同様にリフロー実装後の熱による反りで脱落や落下に繋がる可能性があり、かつ、芯数によってダストカバーを別々に作成しなくてはならない。
特許文献３の構造では、リフロー実装後にハウジング等の絶縁体が熱による反りが発生した場合、上記同様に前記キャップの係合爪部分も変形し、脱落や落下に繋がる恐れがある。
【０００５】
本発明は、このような従来の問題点に鑑みてなされたもので、簡単な構造で、容易に挿抜がし易く、如何なる芯数にも対応でき、リフロー実装後も脱落や落下等のない構造のキャップ及び該キャップを用いたコネクタをを提供せんとするものである。
【課題を解決するための手段】
【０００６】
本目的は、請求項１記載のキャップのように、コネクタの嵌合口に保持されるキャップであって、本体と、該本体の幅方向両側から一方方向に突出するとともに自由端側の先端に一方側に突出する係合部を有する突出片とを備えるキャップにおいて、前記突出片には、前記係合部が所定の間隔になるような少なくとも１個以上のスリットを設け、スリットにより分割された少なくとも２以上の前記突出片の係合部が位置をずらすように配置されることを特徴とするキャップにより達成できる。
【０００７】
請求項２記載のキャップは、前記突出片の係合部を外側方向に突出するようにし、前記突出片には、前記係合部が所定の間隔になるような少なくとも１個以上のスリットを設け、スリットにより分割された少なくとも２以上の前記突出片の係合部が位置をずらすように配置されることを特徴とする請求項１記載のキャップにある。
また、請求項３記載のキャップは、リフロー後に、ハウジングの側壁が熱により変形しても、対向する少なくとも１対の係合部が前記ハウジングの側壁と係合することを特徴とする請求項１または２記載のキャップにある。
さらに、請求項４記載のキャップは、前記係合部を、０．５〜１．５ｍｍずらすことを特徴とする請求項１または２、３記載のキャップにある。
さらにまた、請求項５記載のキャップは、前記係合部としては、凸部とすることを特徴とする請求項１、２または３、４記載のキャップにある。
【０００８】
本目的は、請求項６記載のコネクタのように、複数のコンタクトと、該コンタクトが保持・配列されるとともに少なくとも２つの側壁を有し、前記側壁によって相手コネクタが挿抜される嵌合口を形成するハウジングとを備えるコネクタであって、前記嵌合口に、本体と、該本体の幅方向両側から一方方向に突出するとともに自由端側の先端に一方側に突出する係合部を有する突出片とを備えるキャップを装着した状態でリフローするコネクタ装置において、前記突出片には、前記係合部が所定の間隔になるような少なくとも１個以上のスリットを設け、スリットにより分割された少なくとも２以上の前記突出片の係合部が位置をずらすように配置され、前記係合部が前記ハウジングの側壁に係合した状態でリフローすることを特徴とするコネクタ装置により達成できる。
【０００９】
請求項７記載のコネクタ装置は、前記突出片の係合部を外側方向に突出するようにし、前記突出片には、前記係合部が所定の間隔になるような少なくとも１個以上のスリットを設け、スリットにより分割された少なくとも２以上の前記突出片の係合部が位置をずらすように配置されることを特徴とする請求項６記載のコネクタ装置にある。
また、請求項８記載のコネクタ装置は、リフロー後に、ハウジングの側壁が熱により変形しても、対向する少なくとも１対の係合部が前記ハウジングの側壁と係合することを特徴とする請求項６または７記載のコネクタ装置にある。
さらに、請求項９記載のコネクタ装置は、前記係合部を、０．５〜１．５ｍｍずらすことを特徴とする請求項６または７、８記載のコネクタ装置にある。
さらにまた、請求項１０記載のコネクタ装置は、前記係合部としては、凸部とすることを特徴とする請求項６、７または８、９記載のコネクタ装置にある。
【発明の効果】
【００１０】
以上の説明から明らかなように、本発明のキャップ及び該キャップを用いたコネクタによると、次のような優れた効果が得られる。
（１）請求項１記載のキャップのように、コネクタの嵌合口に保持されるキャップであって、本体と、該本体の幅方向両側から一方方向に突出するとともに自由端側の先端に一方側に突出する係合部を有する突出片とを備えるキャップにおいて、前記突出片には、前記係合部が所定の間隔になるような少なくとも１個以上のスリットを設け、スリットにより分割された少なくとも２以上の前記突出片の係合部が位置をずらすように配置されることを特徴とするキャップにしているので、簡単な構造で、如何なる芯数にも対応でき、容易にキャップを挿抜でき、分割された少なくとも２以上の突出片の１個がリフロー実装後も係合しているため脱落や落下することがない。
（２）請求項２記載のキャップは、前記突出片の係合部を外側方向に突出するようにし、前記突出片には、前記係合部が所定の間隔になるような少なくとも１個以上のスリットを設け、スリットにより分割された少なくとも２以上の前記突出片の係合部が位置をずらすように配置されることを特徴とする請求項１記載のキャップにしているので、簡単な構造で、如何なる芯数にも対応でき、容易にキャップを挿抜でき、分割された少なくとも２以上の突出片の１個がリフロー実装後も係合しているため脱落や落下することがない。
（３）請求項３記載のキャップは、リフロー後に、ハウジングの側壁が熱により変形しても、対向する少なくとも１対の係合部が前記ハウジングの側壁と係合することを特徴とする請求項１または２記載のキャップにしているので、簡単な構造で、如何なる芯数にも対応でき、容易にキャップを挿抜でき、分割された少なくとも２以上の突出片の１個がリフロー実装後も係合しているため脱落や落下することがない。
（４）請求項４記載のキャップは、前記係合部を、０．５〜１．５ｍｍずらすことを特徴とする請求項１または２、３記載のキャップにしているので、簡単な構造で、如何なる芯数にも対応でき、容易にキャップを挿抜でき、分割された少なくとも２以上の突出片の１個がリフロー実装後も係合しているため脱落や落下することがない。
（５）請求項５記載のキャップは、前記係合部としては、凸部とすることを特徴とする請求項１、２または３、４記載のキャップにしているので、簡単な構造で、如何なる芯数にも対応でき、容易にキャップを挿抜でき、分割された少なくとも２以上の突出片の１個がリフロー実装後も係合しているため脱落や落下することがない。
【００１１】
（６）請求項６記載のコネクタのように、複数のコンタクトと、該コンタクトが保持・配列されるとともに少なくとも２つの側壁を有し、前記側壁によって相手コネクタが挿抜される嵌合口を形成するハウジングとを備えるコネクタであって、前記嵌合口に、本体と、該本体の幅方向両側から一方方向に突出するとともに自由端側の先端に一方側に突出する係合部を有する突出片とを備えるキャップを装着した状態でリフローするコネクタ装置において、前記突出片には、前記係合部が所定の間隔になるような少なくとも１個以上のスリットを設け、スリットにより分割された少なくとも２以上の前記突出片の係合部が位置をずらすように配置され、前記係合部が前記ハウジングの側壁に係合した状態でリフローすることを特徴とするコネクタ装置にしているので、簡単な構造で、如何なる芯数にも対応でき、容易にキャップを挿抜でき、分割された少なくとも２以上の突出片の１個がリフロー実装後も係合しているため脱落や落下することがない。
（７）請求項７記載のコネクタ装置は、前記突出片の係合部を外側方向に突出するようにし、前記突出片には、前記係合部が所定の間隔になるような少なくとも１個以上のスリットを設け、スリットにより分割された少なくとも２以上の前記突出片の係合部が位置をずらすように配置されることを特徴とする請求項６記載のコネクタ装置にしているので、簡単な構造で、如何なる芯数にも対応でき、容易にキャップを挿抜でき、分割された少なくとも２以上の突出片の１個がリフロー実装後も係合しているため脱落や落下することがない。
（８）請求項８記載のコネクタ装置は、リフロー後に、ハウジングの側壁が熱により変形しても、対向する少なくとも１対の係合部が前記ハウジングの側壁と係合することを特徴とする請求項６または７記載のコネクタ装置にしているので、簡単な構造で、如何なる芯数にも対応でき、容易にキャップを挿抜でき、分割された少なくとも２以上の突出片の１個がリフロー実装後も係合しているため脱落や落下することがない。
（９）請求項９記載のコネクタ装置は、前記係合部を、０．５〜１．５ｍｍずらすことを特徴とする請求項６または７、８記載のコネクタ装置にしているので、簡単な構造で、如何なる芯数にも対応でき、容易にキャップを挿抜でき、分割された少なくとも２以上の突出片の１個がリフロー実装後も係合しているため脱落や落下することがない。
（１０）請求項１０記載のコネクタ装置は、前記係合部としては、凸部とすることを特徴とする請求項６、７または８、９記載のコネクタ装置にしているので、簡単な構造で、如何なる芯数にも対応でき、容易にキャップを挿抜でき、分割された少なくとも２以上の突出片の１個がリフロー実装後も係合しているため脱落や落下することがない。
【図面の簡単な説明】
【００１２】
【図１】（Ａ）  本発明のコネクタを嵌合口方向の上方よりみた斜視図である。（Ｂ）  本発明のキャップを嵌合方向よりみた斜視図である。（Ｃ）  キャップが装着された状態のコネクタの斜視図である。（Ｄ）  本体を取り除いた状態のキャップが装着された状態のコネクタの斜視図である。
【図２】（Ａ）  本体を取り除いた状態のキャップが装着され、かつ、リフロー前の状態のコネクタの嵌合口方向から斜視図である。（Ｂ）  本体を取り除いた状態のキャップが装着され、かつ、リフロー前の状態のコネクタの部分断面図である。（Ｃ）  本体を取り除いた状態のキャップが装着され、かつ、リフロー後の状態のコネクタの嵌合方向からみた斜視図である。（Ｄ）  本体を取り除いた状態のキャップが装着され、かつ、リフロー後の状態のコネクタの部分断面図である。
【図３】コンタクトの斜視図である。
【図４】（Ａ）  ハウジングを嵌合口方向からみた斜視図である。（Ｂ）  ハウジングを嵌合口と反対方向からみた斜視図である。（Ｃ）  ハウジングをある挿入孔部分で断面した断面図である。
【図５】（Ａ）  図１とは別のキャップの斜視図である。（Ｂ）  （Ａ）とは別のキャップの斜視図である。
【発明を実施するための最良の形態】
【００１３】
本発明の特徴は、請求項１記載のキャップ２０のように、コネクタ１０の嵌合口１８に保持されるキャップ１０であって、本体２２と、該本体２２の幅方向両側から一方方向に突出するとともに自由端側の先端に一方側に突出する係合部２８を有する突出片２４とを備えるキャップ２０において、前記突出片２４には、前記係合部２８が所定の間隔になるような少なくとも１個以上のスリット２６を設け、スリット２６により分割された少なくとも２以上の前記突出片２４の係合部２８が位置をずらすように配置されることを特徴とするキャップである。ここでいう前記係合部２８の位置をずらすとは、幅方向にずらすことでも、高さ方向にずらすことでも、幅方向及び高さ方向の両方にずらすことでもよい。
つまり、スリット２６により分割された前記突出片２４の少なくとも１つの係合部２８がリフロー実装後でも前記ハウジング１２に係合するようにしたものである。
【００１４】
図に基づいて、本発明のキャップ及び該キャップを用いたコネクタ装置の一実施例を説明する。図１（Ａ）は本発明のコネクタを嵌合口方向の上方よりみた斜視図であり、（Ｂ）は本発明のキャップを嵌合方向よりみた斜視図であり、（Ｃ）はキャップが装着された状態のコネクタの斜視図であり、（Ｄ）は本体を取り除いた状態のキャップが装着された状態のコネクタの斜視図である。図２（Ａ）は本体を取り除いた状態のキャップが装着され、かつ、リフロー前の状態のコネクタの嵌合口方向から斜視図であり、（Ｂ）は本体を取り除いた状態のキャップが装着され、かつ、リフロー前の状態のコネクタの部分断面図であり、（Ｃ）は本体を取り除いた状態のキャップが装着され、かつ、リフロー後の状態のコネクタの嵌合方向からみた斜視図であり、（Ｄ）は本体を取り除いた状態のキャップが装着され、かつ、リフロー後の状態のコネクタの部分断面図である。図３はコンタクトの斜視図である。図４（Ａ）はハウジングを嵌合口方向からみた斜視図であり、（Ｂ）はハウジングを嵌合口と反対方向からみた斜視図である。図５（Ａ）は図１とは別のキャップの斜視図であり、（Ｂ）は（Ａ）とは別のキャップの斜視図である。
本発明のコネクタ装置１は、コネクタ１０とキャップ２０を備え、前記コネクタ１０は少なくともコンタクト１４とハウジング１２を有している。
【００１５】
本実施例のコネクタ装置１を説明する前に、まず、接続対象物について説明する。前記接続対象物としては、相手コネクタ（ケーブルを結線したものや基板に実装されたもの）やカードなどを挙げることができる。本実施例では、相手コネクタに対応するコネクタ装置である。
【００１６】
まず、本発明のポイントであるキャップ２０について説明する。このキャップ２０は電気絶縁性のプラスチックであり、公知技術の射出成形によって製作され、この材質としては寸法安定性や加工性や可撓性やコスト等を考慮して適宜選択するが、一般的にはポリブチレンテレフタレート（ＰＢＴ）やポリアミド（６６ＰＡ、４６ＰＡ）やポリカーボネート（ＰＣ）やこれらの合成材料を挙げることができる。
【００１７】
前記キャップ２０は、自動実装のためにリフロー時に吸着するためや嵌合口１８への防塵を高める等に用いられるものである。前記キャップ２０は、主に、本体２２と該本体２２の幅方向両側から一方方向に突出した突出片２４を有している。前記本体２２はリフロー時に吸着される部分であるため、略板状であり、前記突出片２４の反対面は平坦になっている。前記本体２２の大きさは、自動機によって吸着できれば如何なる大きさでもよいが、コネクタの大きさや芯数違いへの対応や加工性や強度等を考慮して適宜設計する。
【００１８】
前記突出片２４の自由端側の先端には、一方側に突出した係合部２８が設けられている。本実施例では嵌合口１８の内側に装着するため、前記係合部２８は外側に突出している。つまり、前記嵌合口１８の外側に装着する際には、前記係合部２８は内側に突出することになる。前記突出片２４と前記係合部２８の形状・大きさは、前記ハウジング１２の嵌合口１８に係合でき、吸着した際に脱落等がなければ、如何なるものでもよいが、保持強度や加工性や芯数違いへの対応等を考慮して適宜設計する。前記係合部２８の形状を、本実施例では台形にしているが、三角や四角などが考えられる。
【００１９】
前記突出片２４は、所定の間隔に分割されるように少なくとも１個以上のスリット２６が設けられている。本実施例では前記スリット２６を１つ設け、前記突出片２４を２つに分割している。前記スリット２６の個数は、芯数やコネクタの長さや保持力を考慮して決めている。前記スリット２６の形状及び大きさは、前記突出片２４の可撓性や強度や加工性や保持力等を考慮して適宜設計する。本実施例では、１．０ｍｍ幅にしている。
【００２０】
分割された前記突出片２４の係合部２８は、位置がズレるように配置されている。前記係合部２８の位置をズラすように配置することで、リフロー実装前後の前記ハウジング１２の嵌合口１８の変化（熱による反りや倒れ）に対応し、少なくとも１個の係合部２８がリフロー前後で前記ハウジング１２の側壁３０に係合するようにしたものである。前記係合部２８の位置をズラすやり方としては、図５（Ａ）のように傾斜（テーパー）にするものや図５（Ｃ）のように段差にするものがある。リフロー実装前後の前記ハウジング１２の嵌合口１８の変化（熱による反りや倒れや膨れ）を考えると、分割された前記係合部２８の位置は、０．５〜１．５ｍｍ程度にすることが望ましい。
上記のように位置をズラすことで、当初係合している係合部２８がリフロー時に熱によって前記ハウジング１２と同様に変化（変形）しても、当初係合していない他方の前記係合部２８は変化（変形）しないために、他方の係合部２８が図２のように係合することになる。
【００２１】
以下で、本実施例のコネクタ１０の部位について説明する。まず、コンタクト１４について説明する。コンタクト１４は金属製であり、公知技術のプレス加工によって製作されている。前記コンタクト１４の材質としては、バネ性や導電性などが要求されるので、黄銅やベリリウム銅やリン青銅等を挙げることができる。本実施例では、前記ハウジング１２の嵌合口１８内に接触部２０が突出するように２列に配置されている。
【００２２】
前記コンタクト１４は、図３のように、略Ｌ字形状をし、一方端側に前記接続対象物（相手コネクタ）に接触する接触部３６と他方端側に基板に接続する接続部４０と前記接触部３６と前記接続部４０との間に固定部３８とを有している。
前記接触部３６は、前記接続対象物（相手コネクタ）と接触し易いようにしている。前記接触部３６の形状・大きさは、前記接続対象物と接触し、安定した接続が得られるように適宜設計している。
【００２３】
前記接続部４０は、基板に接続する部分であり、本実施例では図３のように表面実装タイプ（ＳＭＴ）にしているが、ディップタイプでも良い。前記接続部４０のタイプや大きさは、基板占有面積や加工性や強度や安定した接続等を考慮して適宜設計している。
【００２４】
前記固定部３８は、前記ハウジング１２に保持される部分であり、圧入や引っ掛け（ランス）や溶着等で固定されている。本実施例では圧入によって固定されており、前記固定部３８は前記接触部３６と前記接続部４０との間のほぼ中央付近に設けられている。前記固定部３８の位置や大きさとしては、安定した接触や保持力等を考慮して適宜設計する。
【００２５】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００２６】
前記ハウジング１２は、図４のように、略箱状をし、主に本体部３２と該本体部３２から突出した４つの側壁３０を有している。前記ハウジング１２の本体部３２には、所要数のコンタクト１４が装着される挿入孔３４が設けられており、圧入や引っ掛け（ランス）や溶着等によって固定されている。前記挿入孔３４の大きさや形状は、前記コンタクト１４が保持できれば如何なるものでもよいが、保持力や安定した接続等を考慮して適宜設計している。
また、前記ハウジング１２には、前記本体部３２と４つの側壁３０とで、前記接続対象物が入る大きさの嵌合口１８が設けられている。前記嵌合口１８の大きさ・形状は、前記接続対象物が入れば如何なるものでも良いが、安定した接続や小型化や加工性等を考慮して適宜設計している。
さらに、前記ハウジング１２には、前記本体部３２と一体に長手ピッチ方向両側にフランジ３３が形成されている。前記フランジ３３には、基板に実装する際の位置決め及び誤装着を防ぐために、位置や大きさや形状等が相違する位置決めボス３５が設けられている。本実施例では、円形の大きさを変えている。
【００２７】
幅方向両側の前記側壁３０の内側に、前記キャップ２０の係合部２８が係合している。
【００２８】
図２に基づいて、リフロー実装前後の係合状態について説明する。
図２（Ａ）〜（Ｃ）は前記ハウジング１２の嵌合口１８の内側に係合させるものであり、図２（Ｄ）及び（Ｅ）は前記ハウジング１２の幅方向両側の側壁３０の外側に係合させるものである。
図２（Ａ）は、前記突出片２４のほぼ中央付近に、前記突出片２４がほぼ同じ大きさになるように１つの前記スリット２６を設けたものである。前記突出片２４の先端の前記係合部２８は外側方向に突出している。分割された一方の前記突出片２４の係合部２８（凸部）は３〜８度傾斜（テーパ）させることで、前記係合部２８が０．５〜１．５ｍｍずれるようになっている。
図２（Ｂ）は、前記突出片２４のほぼ中央付近に、前記突出片２４がほぼ同じ大きさになるように１つの前記スリット２６を設けたものである。前記突出片２４の先端の前記係合部２８は外側方向に突出している。分割された一方の前記突出片２４の係合部２８（凸部）は高さを変えることで、前記係合部２８の高さが０．５〜１．５ｍｍずれるようになっている。
図２（Ｃ）は、前記突出片２４のほぼ中央付近に、前記突出片２４がほぼ同じ大きさになるように１つの前記スリット２６を設けたものである。前記突出片２４の先端の前記係合部２８は外側方向に突出している。分割された一方の前記突出片２４の係合部２８（凸部）は前記本体部２２との連結付近を略直角に折り曲げることで、前記係合部２８が０．５〜１．５ｍｍずれるようになっている。
図２（Ｄ）は、前記ハウジング１２の幅方向両側の側壁３０の外側に係合させるものである。前記突出片２４のほぼ中央付近に、前記突出片２４がほぼ同じ大きさになるように１つの前記スリット２６を設けたものである。前記突出片２４の先端の前記係合部２８は内側方向に突出している。それぞれの前記突出片２４の係合部２８（凸部）は傾斜（テーパ）角度を変えることで、前記係合部２８が０．５〜１．５ｍｍずれるようになっている。
図２（Ｅ）は、前記ハウジング１２の幅方向両側の側壁３０の外側に係合させるものである。前記突出片２４のほぼ中央付近に、略Ｕ字形状の前記スリット２６を設け、外側の前記突出片２４が略Ｕ字形状になる。つまり、前記係合２８は高さ方向に上下に配置されることになる。前記突出片２４の先端の前記係合部２８は内側方向に突出している。内側の前記突出片２４の係合部２８（凸部）は傾斜（テーパ）角度を変えることで、前記係合部２８が０．５〜１．５ｍｍずれ、かつ、高さ方向でも０．５〜１．５ｍｍずれるようになっている。
上記のように、前記スリット２６は１つだけ設けたが、役割を満足すれば、複数設けてよい。ただし、コネクタの小型化を考慮して設計する。
【産業上の利用可能性】
【００２９】
本発明の活用例としては、、シーケンサやインバータやカーナビゲーション等の電気機器や電子機器に使用されるコネクタ装置１に活用され、特に、リフロー後に絶縁体やキャップに反りが発生してもキャップが脱落・落下することのない構造（コメント：この表現で良いでしょうか。）に関するものである。
【符号の説明】
【００３０】
１        コネクタ装置
１０      コネクタ
１２      ハウジング
１４      コンタクト
１８      嵌合口
２０      キャップ
２２      本体
２４      突出片
２６      スリット
２８      係合部（凸部）
３０      側壁
３２      本体部
３３      フランジ
３４      挿入孔
３５      位置決めボス
３６      接触部
３８      固定部
４０      接続部
８０      基板
【図１】
0005417134.tif 000002
【図２】
0005417134.tif 000003
【図３】
0005417134.tif 000004
【図４】
0005417134.tif 000005
【図５】
0005417134.tif 000006